(57)【要約】【課題】  患者眼のレーザ治療に有用な情報を取得できる。【解決手段】  治療用レーザが照射される前に光コヒーレンストモグラフィーデバイスによって撮像された患者眼の断層画像に基づく解析結果データを取得し、取得された解析結果データを用いて設定された眼に対する治療用レーザの照射位置情報を取得する照射位置取得手段と、照射位置取得手段によって取得された照射位置情報に基づいて眼にレーザ光を照射するレーザ制御手段と、を備える。【選択図】      図５
2012135550.tif 000002
【特許請求の範囲】
【請求項１】
治療用レーザが照射される前に光コヒーレンストモグラフィーデバイスによって撮像された患者眼の断層画像に基づく解析結果データを取得し、取得された解析結果データを用いて設定された前記眼に対する治療用レーザの照射位置情報を取得する照射位置取得手段を備えることを特徴とするレーザ治療用眼科装置。
【請求項２】
治療レーザ光源と、前記レーザ光源から発せられたレーザ光を前記眼に対して偏向させる偏向手段と、を備え、前記レーザ光を前記眼の治療部位に照射する照射光学系と、
前記レーザ光源及び前記偏向手段の動作を制御することにより、前記照射位置取得手段によって取得された照射位置情報に基づいて前記眼にレーザ光を照射するレーザ制御手段と、
を備えることを特徴とする請求項１のレーザ治療用眼科装置。
【請求項３】
前記眼の正面像を観察するための観察光学系と、を備え、
照射領域取得手段は、表示部と、観察光学系によって取得された正面像と前記解析結果データとを重畳させて前記表示部に表示させる表示制御手段を備えることを特徴とする請求項２のレーザ治療用眼科装置。
【請求項４】
さらに、測定光源と、前記測定光源から発せられた光を，患者眼に導光され患者眼で反射される測定光と参照光とに分割する光分割器と、患者眼で反射された測定光と参照光との干渉状態を検出する検出器と、を備え、治療用レーザが照射される前の患者眼の断層画像を撮像する光コヒーレンストモグラフィーデバイスと、
を備えることを特徴とする請求項３のレーザ治療用眼科装置。
【請求項５】
前記レーザ治療用眼科装置は、患者眼の眼底に治療用レーザを照射する装置であって、
前記光コヒーレンストモグラフィーデバイスは、患者眼の眼底の断層画像を撮像するデバイスであって、
照射領域取得手段は、前記眼底の断層画像を解析して視機能の正常／異常部位に関する判定処理を行い、患者眼眼底上における視機能の正常／異常部位に関する位置情報を前記解析結果データとして取得することを特徴とする請求項４のレーザ治療用眼科装置。
【請求項６】
前記表示制御手段は、照射領域取得手段によって取得された視機能の正常／異常部位部位に関する位置情報に基づいて、視機能が異常と判定された位置をレーザ照射領域として表示し、視機能が正常と判定された位置をレーザ照射禁止領域として表示することを特徴とする請求項５のレーザ治療用眼科装置。
【請求項７】
前記光コヒーレンストモグラフィーデバイスは、測定光源から発せられた光を眼底上で二次元的に走査する光スキャナを有し、前記眼底の三次元断層画像を取得し、
照射領域取得手段は、視機能の正常／異常部位に関する二次元分布データを示す解析マップを解析結果データとして取得し、
表示制御手段は、該解析マップと観察光学系によって取得された正面像とを重畳させて表示することを特徴とする請求項６のレーザ治療用眼科装置。
【請求項８】
前記三次元断層画像からＯＣＴ正面像を生成する正面像生成手段を有し、
前記表示制御手段は、前記正面像生成手段によって生成されたＯＣＴ正面像と、観察光学系によって取得された正面像とをマッチングさせ、該解析マップと観察光学系によって取得された正面像との相対位置を調整することを特徴とする請求項７のレーザ治療用眼科装置。
【請求項９】
前記照射領域取得手段は、表示部の画面を見ながら術者が治療用レーザの照射領域を設定するための操作手段を備え、該操作手段からの操作信号に基づいて前記眼に対する治療用レーザの照射位置情報を取得することを特徴とする請求項８のレーザ治療用眼科装置。
【発明の詳細な説明】
【技術分野】
【０００１】
本発明は、レーザ光を患者眼に照射する際に用いられるレーザ治療用眼科装置に関する。
【背景技術】
【０００２】
治療レーザ光を患者眼の組織（例えば、眼底）上に照射し、眼の治療を行う治療用レーザ装置が知られている（特許文献１参照）。このような装置を用いる場合、術者は、スリットランプ，眼底カメラを用いて眼底正面像を観察し、眼の治療部位にレーザ光を照射する。
【先行技術文献】
【特許文献】
【０００３】
【特許文献１】特開２０１０−１４８６３５号公報
【発明の概要】
【発明が解決しようとする課題】
【０００４】
しかしながら、正面観察光学系の場合、患者眼の表面的な情報しか得ることが難しい。例えば、正面観察像では、視細胞の状態を確認することが難しく、糖尿病網膜症の場合では、視細胞が正常か否かに関わらずレーザ照射を行っている。
【０００５】
本発明は、上記問題点を鑑み、患者眼のレーザ治療に有用な情報を取得できるレーザ治療用眼科装置を提供することを技術課題とする。
【課題を解決するための手段】
【０００６】
上記課題を解決するために、本発明は以下のような構成を備える。
【０００７】
（１）  治療用レーザが照射される前に光コヒーレンストモグラフィーデバイスによって撮像された患者眼の断層画像に基づく解析結果データを取得し、取得された解析結果データを用いて設定された前記眼に対する治療用レーザの照射位置情報を取得する照射位置取得手段を備えることを特徴とする。
（２）  治療レーザ光源と、前記レーザ光源から発せられたレーザ光を前記眼に対して偏向させる偏向手段と、を備え、前記レーザ光を前記眼の治療部位に照射する照射光学系と、
前記レーザ光源及び前記偏向手段の動作を制御することにより、前記照射位置取得手段によって取得された照射位置情報に基づいて前記眼にレーザ光を照射するレーザ制御手段と、を備えることを特徴とする（１）のレーザ治療用眼科装置。
（３）  前記眼の正面像を観察するための観察光学系と、を備え、照射領域取得手段は、表示部と、観察光学系によって取得された正面像と前記解析結果データとを重畳させて前記表示部に表示させる表示制御手段を備えることを特徴とする（２）のレーザ治療用眼科装置。
（４）  さらに、測定光源と、前記測定光源から発せられた光を，患者眼に導光され患者眼で反射される測定光と参照光とに分割する光分割器と、患者眼で反射された測定光と参照光との干渉状態を検出する検出器と、を備え、治療用レーザが照射される前の患者眼の断層画像を撮像する光コヒーレンストモグラフィーデバイスと、を備えることを特徴とする（３）のレーザ治療用眼科装置。
（５）  前記レーザ治療用眼科装置は、患者眼の眼底に治療用レーザを照射する装置であって、前記光コヒーレンストモグラフィーデバイスは、患者眼の眼底の断層画像を撮像するデバイスであって、照射領域取得手段は、前記眼底の断層画像を解析して視機能の正常／異常部位に関する判定処理を行い、患者眼眼底上における視機能の正常／異常部位に関する位置情報を前記解析結果データとして取得することを特徴とする（４）のレーザ治療用眼科装置。
（６）  前記表示制御手段は、照射領域取得手段によって取得された視機能の正常／異常部位部位に関する位置情報に基づいて、視機能が異常と判定された位置をレーザ照射領域として表示し、視機能が正常と判定された位置をレーザ照射禁止領域として表示することを特徴とする（５）のレーザ治療用眼科装置。
（７）  前記光コヒーレンストモグラフィーデバイスは、測定光源から発せられた光を眼底上で二次元的に走査する光スキャナを有し、前記眼底の三次元断層画像を取得し、照射領域取得手段は、視機能の正常／異常部位に関する二次元分布データを示す解析マップを解析結果データとして取得し、表示制御手段は、該解析マップと観察光学系によって取得された正面像とを重畳させて表示することを特徴とする（６）のレーザ治療用眼科装置。
（８）  前記三次元断層画像からＯＣＴ正面像を生成する正面像生成手段を有し、前記表示制御手段は、前記正面像生成手段によって生成されたＯＣＴ正面像と、観察光学系によって取得された正面像とをマッチングさせ、該解析マップと観察光学系によって取得された正面像との相対位置を調整することを特徴とする（７）のレーザ治療用眼科装置。
（９）  前記照射領域取得手段は、表示部の画面を見ながら術者が治療用レーザの照射領域を設定するための操作手段を備え、該操作手段からの操作信号に基づいて前記眼に対する治療用レーザの照射位置情報を取得することを特徴とする（８）のレーザ治療用眼科装置。
【発明の効果】
【０００８】
本発明によれば、患者眼のレーザ治療に有用な情報を取得できる。
【発明を実施するための形態】
【０００９】
以下、本発明に係る実施形態を図面に基づいて説明する。図１は本実施形態に係る眼科撮影装置の構成について説明する概略構成図である。なお、本実施形態においては、被検者眼（眼Ｅ）の軸方向をＺ方向、水平方向をＸ方向、鉛直方向をＹ方向として説明する。眼底の表面方向をＸＹ方向として考えても良い。
【００１０】
装置構成の概略を説明する。本装置は、被検者眼Ｅの眼底Ｅｆの断層像を撮影するための光コヒーレンストモグラフィーデバイス（ＯＣＴデバイス）１０である。ＯＣＴデバイス１０は、干渉光学系（ＯＣＴ光学系）１００と、正面観察光学系２００と、固視標投影ユニット３００と、光凝固レーザ装置４００と、演算制御部（ＣＰＵ）７０と、を含む。
【００１１】
ＯＣＴ光学系１００は、眼底に測定光を照射する。ＯＣＴ光学系１００は、眼底から反射された測定光と，参照光との干渉状態を受光素子（検出器１２０）によって検出する。ＯＣＴ光学系１００は、眼底Ｅｆ上の撮像位置を変更するため、眼底Ｅｆ上における測定光の照射位置を変更する照射位置変更ユニット（例えば、光スキャナ１０８、固視標投影ユニット３００）を備える。制御部７０は、設定された撮像位置情報に基づいて照射位置変更ユニットの動作を制御し、検出器１２０からの受光信号に基づいて断層画像を取得する。また、光凝固レーザ装置４００は、治療用のレーザ（光凝固レーザ光）を発振する。
【００１２】
＜ＯＣＴ光学系＞
ＯＣＴ光学系１００は、いわゆる眼科用光断層干渉計（ＯＣＴ：Optical coherence tomography）の装置構成を持ち、本実施形態においては、治療用レーザが照射される前の患者眼の断層画像を撮像する。ＯＣＴ光学系１００は、測定光源１０２から出射された光をカップラー（光分割器）１０４によって測定光（試料光）と参照光に分割する。そして、ＯＣＴ光学系１００は、測定光学系１０６によって測定光を眼Ｅの眼底Ｅｆに導き，また、参照光を参照光学系１１０に導く。その後、眼底Ｅｆによって反射された測定光と，参照光との合成による干渉光を検出器（受光素子）１２０に受光させる。
【００１３】
検出器１２０は、測定光と参照光との干渉状態を検出する。フーリエドメインＯＣＴの場合では、干渉光のスペクトル強度が検出器１２０によって検出され、スペクトル強度データに対するフーリエ変換によって所定範囲における深さプロファイル（Ａスキャン信号）が取得される。例えば、Spectral-domain OCT（ＳＤ−ＯＣＴ）、Swept-source OCT（ＳＳ−ＯＣＴ）が挙げられる。また、Time-domain OCT（ＴＤ−ＯＣＴ）であってもよい。
【００１４】
ＳＤ−ＯＣＴの場合、光源１０２として低コヒーレント光源（広帯域光源）が用いられ、検出器１２０には、干渉光を各周波数成分（各波長成分）に分光する分光光学系（スペクトルメータ）が設けられる。スペクトルメータは、例えば、回折格子とラインセンサからなる。
【００１５】
ＳＳ−ＯＣＴの場合、光源１０２として出射波長を時間的に高速で変化させる波長走査型光源（波長可変光源）が用いられ、検出器１２０として、例えば、単一の受光素子が設けられる。光源１０２は、例えば、光源、ファイバーリング共振器、及び波長選択フィルタによって構成される。そして、波長選択フィルタとして、例えば、回折格子とポリゴンミラーの組み合わせ、ファブリー・ペローエタロンを用いたものが挙げられる。
【００１６】
光源１０２から出射された光は、カップラー１０４によって測定光束と参照光束に分割される。そして、測定光束は、光ファイバーを通過した後、空気中へ出射される。その光束は、光スキャナ１０８、及び測定光学系１０６の他の光学部材を介して眼底Ｅｆに集光される。そして、眼底Ｅｆで反射された光は、同様の光路を経て光ファイバーに戻される。
【００１７】
光スキャナ１０８は、眼底上でＸＹ方向（横断方向）に測定光を走査させる。光スキャナ１０８は、瞳孔と略共役な位置に配置される。光スキャナ１０８は、例えば、２つのガルバノミラーであり、その反射角度が駆動機構５０によって任意に調整される。
【００１８】
これにより、光源１０２から出射された光束はその反射（進行）方向が変化され、眼底上で任意の方向に走査される。これにより、眼底Ｅｆ上における撮像位置が変更される。光スキャナ１０８としては、光を偏向させる構成であればよい。例えば、反射ミラー（ガルバノミラー、ポリゴンミラー、レゾナントスキャナ）の他、光の進行（偏向）方向を変化させる音響光学素子（ＡＯＭ）等が用いられる。
【００１９】
参照光学系１１０は、眼底Ｅｆでの測定光の反射によって取得される反射光と合成される参照光を生成する。参照光学系１１０は、マイケルソンタイプであってもよいし、マッハツェンダタイプであっても良い。参照光学系１１０は、例えば、反射光学系（例えば、参照ミラー）によって形成され、カップラー１０４からの光を反射光学系により反射することにより再度カップラー１０４に戻し、検出器１２０に導く。他の例としては、参照光学系１１０は、透過光学系（例えば、光ファイバー）によって形成され、カップラー１０４からの光を戻さず透過させることにより検出器１２０へと導く。
【００２０】
参照光学系１１０は、参照光路中の光学部材を移動させることにより、測定光と参照光との光路長差を変更する構成を有する。例えば、参照ミラーが光軸方向に移動される。光路長差を変更するための構成は、測定光学系１０６の測定光路中に配置されてもよい。
【００２１】
＜正面観察光学系＞
正面観察光学系２００は、眼底Ｅｆの正面画像を得るために設けられている。観察光学系２００は、例えば、光源から発せられた測定光（例えば、赤外光）を眼底上で二次元的に走査させる光スキャナと、眼底と略共役位置に配置された共焦点開口を介して眼底反射光を受光する第２の受光素子と、を備え、いわゆる眼科用走査型レーザ検眼鏡（ＳＬＯ）の装置構成を持つ。
【００２２】
なお、観察光学系２００の構成としては、いわゆる眼底カメラタイプの構成であってもよい。また、ＯＣＴ光学系１００は、観察光学系２００を兼用してもよい。すなわち、正面画像は、二次元的に得られた断層画像を形成するデータを用いて取得されるようにしてもよい（例えば、三次元断層画像の深さ方向への積算画像、ＸＹ各位置でのスペクトルデータの積算値等）。
【００２３】
＜固視標投影ユニット＞
固視標投影ユニット３００は、眼Ｅの視線方向を誘導するための光学系を有する。投影ユニット３００は、眼Ｅに呈示する固視標を有し、複数の方向に眼Ｅを誘導できる。
【００２４】
例えば、固視標投影ユニット３００は、可視光を発する可視光源を有し、視標の呈示位置を二次元的に変更させる。これにより、視線方向が変更され、結果的に撮像部位が変更される。例えば、撮影光軸と同方向から固視標が呈示されると、眼底の中心部が撮像部位として設定される。また、撮影光軸に対して固視標が上方に呈示されると、眼底の上部が撮像部位として設定される。すなわち、撮影光軸に対する視標の位置に応じて撮影部位が変更される。
【００２５】
固視標投影ユニット３００としては、例えば、マトリクス状に配列されたＬＥＤの点灯位置により固視位置を調整する構成、光源からの光を光スキャナを用いて走査させ、光源の点灯制御により固視位置を調整する構成、等、種々の構成が考えられる。また、投影ユニット３００は、内部固視灯タイプであってもよいし、外部固視灯タイプであってもよい。
【００２６】
＜光凝固レーザ装置＞
光凝固レーザ装置４００は、レーザ光源を有し、治療用レーザ光（例えば、５３２ｎｍの波長）を発振する。光凝固レーザ装置４００の光源から出射された光は光ファイバ４０１に導入されて出射端４０１ａから出射される。出射端４０１ａから出射されたレーザ光は、ダイクロイックミラー３０で反射され、光スキャナ１０８、及び測定光学系１０６の他の光学部材を介して眼底Ｅｆに集光される。光スキャナ１０８は、光偏向手段として、レーザ光源から発せられたレーザ光を眼Ｅに眼に対して偏向させる。この場合、測定光学系１０６は、レーザ光を眼の治療部位に照射する照射光学系として用いられる。
【００２７】
これにより、光凝固レーザ装置４００から出射されたレーザ光は,光スキャナ１０８によりその反射（進行）方向が変化され、眼底上で二次元的に走査される。これにより、眼底Ｅｆ上におけるレーザ光の照射位置が変更される。
【００２８】
なお、光凝固レーザ装置４００は、治療用レーザ光源に加えて、エイミング光を発するエイミング光源を備える構成であってもよい。
【００２９】
＜制御部＞
制御部７０は、各構成１００〜４００の各部材など、装置全体を制御する。また、制御部７０は、取得された画像を処理する画像処理部、取得された画像を解析する画像解析部、などを兼用する。制御部７０は、一般的なＣＰＵ（Central Processing Unit）等で実現される。
【００３０】
図２（ａ）は正面観察光学系２００によって得られる正面画像の例であり、図２（ｂ）はＯＣＴ光学系１００によって得られる断層画像の例である。例えば、制御部７０は、ＯＣＴ光学系１００の検出器１２０から出力される受光信号に基づいて画像処理により断層画像（ＯＣＴ画像）を取得すると共に、正面観察光学系２００の受光素子から出力される受光信号に基づいて正面画像を取得する。また、制御部７０は、固視標投影ユニット３００を制御して固視位置を変更する。
【００３１】
メモリ（記憶部）７２、モニタ（表示部）７５、操作部７６は、それぞれ制御部７０と電気的に接続されている。制御部７０は、モニタ７５の表示画面を制御する。取得された眼底像は、モニタ７５に静止画又は動画として出力される他、メモリ７２に記憶される。メモリ７２は、例えば、撮影された断層画像、正面画像、各断層画像の撮影位置情報等の撮影に係る各種情報を記録する。制御部７０は、操作部７６から出力される操作信号に基づいて、ＯＣＴ光学系１００、正面観察光学系２００、固視標投影ユニット３００の各部材を制御する。また、モニタ７５としては、タッチパネルが使用されている。なお、上記ＯＣＴデバイス１０の詳しい構成については、例えば、特開２００８−２９４６７号公報を参考にされたい。
【００３２】
本実施例は、糖尿病網膜症の被検眼を例として挙げる。以下より、糖尿病網膜症をレーザ光にて治療するための手順について説明する。
【００３３】
＜断層画像の取得＞  制御部７０は、ＯＣＴ光学系１００を制御し、設定された各領域に対応する三次元断層像を取得すると共に、観察光学系２００を制御し、正面像を取得する。なお、三次元断層像には、ＸＹ方向に関して二次元的にＡスキャン信号を並べた画像データ、三次元グラフィック画像、などが含まれる。
【００３４】
三次元断層像を得るとき、制御部７０は、光スキャナ１０８の動作を制御し、撮像領域に対応する走査範囲において測定光をＸＹ方向に二次元的に走査させることにより三次元断層像を取得する。なお、走査パターンとして、例えば、ラスタースキャン、複数のラインスキャンが考えられる。
【００３５】
＜視細胞の判定＞
制御部７０は、画像解析部を有する。断層画像が取得されると、制御部７０は、取得された断層画像における眼底の層情報を画像処理により検出する。そして、ＯＣＴデバイス１００は、所定の画像判定条件（判定基準）を基に層検出結果を解析する。解析の例としては、制御部７０は、ＸＹ方向の各位置において層情報を検出し、検出された層情報に基づいて各位置における視細胞の状態を解析する。そして、解析結果は、ＯＣＴデバイス１００のメモリ、又は外部のメモリ（例えば、パーソナルコンピュータのメモリ、サーバーのメモリ）に三次元断層像と共に記憶される。
【００３６】
層を検出する場合、例えば、断層画像の輝度レベルが検出され、所定の網膜層（例えば、視細胞内節／外節（以下ＩＳ／ＯＳと記載する））に相当する層が画像処理により抽出される。
【００３７】
断層画像を判定する場合、各層の有無の判定、各層の層厚判定、形状判定、所定部位（例えば、乳頭、黄斑）のサイズ判定等が考えられる。例えば、制御部７０は、各Ａスキャン信号の輝度分布を検出し、ＩＳ／ＯＳに対応する輝度の上昇が検出されたか否かに応じて、ＩＳ／ＯＳ有無を判定する。
【００３８】
図３（ａ）はＩＳ／ＯＳが残存している状態の輝度分布と、図３（ｂ）はＩＳ／ＯＳが消失している状態の輝度分布を示す例である。すなわち、ＩＳ／ＯＳが残存している場合、ＩＳ／ＯＳに対応するピークが見られるが、ＩＳ／ＯＳが消失している場合、ＩＳ／ＯＳに対応するピークはなく、ＲＰＥに対応するピークが現れる。なお、ＩＳ／ＯＳの有無を特定する場合、解剖学的に知られている各層の順序、網膜表面からの距離、ＩＳ／ＯＳに対応する強い輝度の立ち上がり、などが利用される。
【００３９】
制御部７０は、眼底の断層画像を解析して視機能の正常／異常部位に関する判定処理を行い、患者眼眼底上における視機能の正常／異常部位に関する位置情報を解析結果データとして取得する。
【００４０】
制御部７０は、ＩＳ／ＯＳが残存していると判定した位置について、視細胞が正常に機能している可能性が高い部位とみなす。次に、制御部７０は、ＩＳ／ＯＳが消失していると判定した位置について、視細胞の機能が低下している可能性が高い部位とみなす。
【００４１】
以上のようにして、制御部７０は、各Ａスキャン信号に対してＩＳ／ＯＳの有無に関する判定を行うことにより、ＩＳ／ＯＳの有無に関する眼底の二次元的な情報を得る。これにより、眼底上における視細胞の機能低下部位が特定される。
【００４２】
図４は断層画像の解析結果を示す図であり、眼底上の各位置における視機能の状態を二次元的に示すマップ（以下、解析マップと記載）の一例である。本実施例において、制御部７０は、視機能の正常／異常部位に関する二次元分布データを示す解析マップを解析結果データとして取得する。すなわち、前述のように取得された解析結果に基づいて、三次元断層像の解析結果を示す解析マップを作成する。制御部７０は、図４に示すように、視機能が低下している部位を示すグラフィック（ハッチングＲ参照）を表示する。例えば、ハッチングＲについて、特定の色にて表示される（例えば、赤色）。また、制御部７０は、視機能が低下している部位をマーカーで囲むようにしてもよい。もちろん、制御部７０は、視細胞が正常に機能している部位に関して、識別可能なグラフィックで表示してもよい。
【００４３】
なお、解析結果を得る場合、画像処理による解析の他、検者自身が視機能が低下している部位を特定するような構成であってもよい。この場合、例えば、断層画像がモニタ７５に表示された状態において、マウス操作によって、視機能が低下している部位が指定される。そして、指定された結果に基づいて解析マップが作成される。なお、得られた解析マップは、メモリ７２に記憶される。
【００４４】
＜レーザ照射位置の設定＞
次に、制御部７０は、治療用レーザが照射される前にＯＣＴデバイス１０によって撮像された患者眼の断層画像に基づく解析結果データを取得する。そして、制御部７０は、取得された解析結果データを用いて設定された眼Ｅに対する治療用レーザの照射位置情報を取得する。典型的には、制御部７０は、観察光学系２００によって取得された正面像と解析結果データとを重畳させてモニタ７５に表示させる。
【００４５】
断層画像に基づく解析結果データを取得する場合、制御部７０は、制御部７０自身が前述のように解析処理を行うことによって解析結果データを取得するようにしてもよいし、予め他の解析装置によって解析されたデータを取得してもよい。
【００４６】
モニタ７５のタッチパネルは、モニタ７５の画面を見ながら術者が治療用レーザの照射領域を設定するための操作部材として用いられる。そして、制御部７０は、タッチパネルからの操作信号に基づいて眼Ｅに対する治療用レーザの照射位置情報を取得する。なお、操作部材は、タッチパネルに限定されず、例えば、マウス、ジョイスティックなどのポインティングデバイスが使用される。
【００４７】
例えば、制御部７０は、メモリ７２に記憶された解析マップを取得する。そして、制御部７０は、上記のように取得された解析マップに対し、眼底正面像を重畳させ、解析マップと眼底正面像とを関連付ける。そして、制御部７０は、解析マップと眼底正面像との重畳画像をモニタ７５に表示する。
【００４８】
制御部７０は、解析に用いた三次元断層像からＯＣＴ正面像を生成し、生成されたＯＣＴ正面像と解析マップとを重畳させることによって、pixel-to-pixelの関係で両データを対応付けできる。また、制御部７０は、観察光学系２００によって取得された眼底正面像（例えば、ＳＬＯ画像）と解析マップを重畳させるようにしてもよい。なお、重畳されるＳＬＯ画像の取得タイミングは、三次元断層像の取得時であってもよいし、各種検査を経て実際にレーザ照射する前であってもよい。取得された正面像は、静止画としてメモリ７２に記憶される。
【００４９】
制御部７０は、例えば、生成されたＯＣＴ正面像と、観察光学系２００によって取得された眼底正面像とをマッチングさせ、解析マップＭと眼底正面像との相対位置を調整する。すなわち、正面像の静止画に解析マップを画像処理により重畳させ、重畳画像をモニタ７５に表示する。このとき、例えば、制御部７０は、視機能の正常／異常部位部位に関する位置情報に基づいて、視機能が異常と判定された位置をレーザ照射領域として表示し、視機能が正常と判定された位置をレーザ照射禁止領域として表示する。図５（ａ）はモニタ７５に解析マップＭ及び照射禁止領域Ｄが眼底正面像上に表示された例を示す図である。
【００５０】
検者は、モニタ７５に表示された重畳画像を見ながら、レーザ照射領域を設定する。初めに、検者は、モニタ７５上に表示された眼底正面像を観察しながら、治療部位を探し、レーザ照射領域の設定を行う。このとき、検者は、モニタ上でタッチパネル（操作部）を用いることによりレーザ照射領域を設定する。制御部７０は、タッチパネルからの信号を受け取ると、さらに、レーザ照射領域を示すグラフィックＧを重畳画像に表示すると共に、指定された位置を照射領域として設定する（図５（ｂ）参照）。画面上における設定手法について、例えば、タッチされた領域の近傍が照射領域として設定される手法、なぞり操作によって囲まれた領域が照射領域として設定される手法が考えられる。もちろん、検者により、照射をしない領域（照射禁止領域）を設定し、照射禁止領域を除く領域をレーザで照射する構成としてもよい。
【００５１】
このとき、制御部７０は、解析マップ上において、視細胞が正常に機能している部位を照射禁止領域Ｄとして設定し、照射禁止領域Ｄを示すグラフィックを重畳表示させる（図５（ｂ）参照）。この場合、制御部７０は、照射禁止領域Ｄを含む形でレーザ照射領域Ｇが設定されても、照射禁止領域Ｄについてはレーザ照射領域Ｇから除外する。なお、視細胞が正常な部位が多い場合、レーザ照射が限定され、不十分な治療となる可能性があるため、制御部７０は、照射禁止領域Ｄを任意に解除できるようにしてもよい。また、検者は、解析マップ等によって眼Ｅの視機能の状態を把握できるため、視細胞が正常な部分について、任意に照射禁止領域から除外することも可能である。
【００５２】
なお、制御部７０は、三次元断層像における眼底の所定部位（例えば、黄斑、乳頭）を画像処理により特定し、特定された部位を照射禁止領域Ｄとして設定するようにしてもよい。例えば、黄斑、乳頭は、断層画像中の位置、輝度値、形状などから抽出が可能である。黄斑部は、周辺部に対して輝度が暗く、円形状であるので、これらの特性に合致する画像領域が抽出されるように画像処理が行われる。乳頭部は、周辺部より明るく、円形状であるので、これらの特性に合致する画像領域が抽出されるように画像処理が行われる。なお、制御部７０は、眼底正面像（例えば、ＳＬＯ画像）を用いて黄斑部、乳頭部を画像処理により特定し、特定された部位を照射禁止領域Ｄとして設定するようにしてもよい。
【００５３】
なお、本実施形態において、制御部７０が黄斑部や乳頭の位置を検出し、照射禁止領域として設定するとしたが、検者がモニタ７５上に表示された眼底画像を観察することによって、黄斑部や乳頭の位置を選択し、照射禁止領域として設定をしてもかまわない。
【００５４】
なお、このとき、制御部７０は、眼底正面像上に解析マップを表示するとともに、黄斑部や乳頭の位置から照射禁止の領域を設定する。そして、照射禁止領域を示すための照射禁止領域画像を作成し、眼底正面像上に表示する。なお、黄斑部や乳頭の検出は、例えば、ＯＣＴ正面像やＳＬＯ画像を解析したときに取得されたデータに基づいて検出される。
【００５５】
なお、解析マップＭと眼底正面像とが関連付けられると、眼底正面像の各画素について解析情報が付与される。ここで、眼底正面像上における位置座標と、光スキャナ１０８の走査位置との対応関係は予め定まっている。このため、光スキャナ１０８の走査位置と解析マップの位置座標との対応づけが可能となる。これにより、光スキャナ１０８によって走査されるレーザ光の走査位置（走査角度）と、解析マップ上における解析情報とが、関連付けられる。例えば、視機能が低下している部分と、レーザ光の照射位置とが対応付けられる。
【００５６】
＜レーザ照射＞
次に、制御部７０は、レーザ光源及び光スキャナ１０８の動作を制御することにより、前述のようにして取得された照射位置情報に基づいて眼にレーザ光を照射する。
【００５７】
例えば、以上のようにレーザ照射領域及び禁止領域が設定されると、検者は、操作部７６を操作することにより、レーザ照射を行うためのレーザ照射モードに移行させる。ここで、制御部７０は、設定された照射領域に基づいてレーザ照射を実行する。
【００５８】
制御部７０は、観察光学系２００を制御し、眼底正面像を取得する。そして、制御部７０は、随時取得される眼底正面像をリアルタイムにてモニタ７５に表示する。解析マップと関連付けされた眼底正面像は、レーザビームをトラッキングするための基準画像として用いられる。
【００５９】
検者により、操作部７６の照射開始キーが操作されると、制御部７０は、設定されたレーザ照射領域Ｇへのレーザ照射が可能となる。光凝固レーザ装置４００は、治療用レーザ光（例えば、５３２ｎｍの波長）を発振するものであり、このレーザ光は光ファイバ４０１に導入されて出射端４０１ａから出射される。出射端４０１ａから出射されたレーザ光は、ダイクロイックミラー３０で反射され、光スキャナ１０８、及び測定光学系１０６の他の光学部材を介して眼底Ｅｆに照射される。
【００６０】
制御部７０は、光スキャナ１０８を制御し、光スキャナ１０８の走査位置を照射領域Ｅ上に合わせる。そして、制御部７０は、レーザ装置４００を制御し、照射領域Ｇに向けてレーザ光を照射する。なお、複数の照射領域がある場合、制御部７０は、各照射領域に対し順次レーザ光を照射していく。
【００６１】
このとき、制御部７０は、必ずしも照射領域Ｅの全体にレーザを照射する必要はなく、所定の間隔に設定されたドットパターン状のレーザ光を照射してもよい。また、レーザの照射手法として、制御部７０は、光スキャナ１０８をラスタースキャンさせ、走査位置が照射領域Ｇに達したときにレーザ光を照射するようにしてもよい。
【００６２】
レーザ照射時において、制御部７０は、解析マップと関連付けされた眼底像を基準画像として設定し、随時取得される眼底像との相対位置を検出する。そして、制御部７０は、レーザ光源及び光スキャナ１０８の動作を制御することにより、設定された照射位置情報に基づいて眼にレーザ光を照射する。すなわち、眼の移動があっても眼底Ｅｆ上の設定された領域を照射できるように，検出結果に基づいて光スキャナ１０８による走査位置を補正する（レーザ光のトラッキング）。これにより、レーザ照射位置を補正する。例えば、制御部７０は、関連付けされた眼底正面像と、随時取得される眼底像との間の眼底の表面方向（ＸＹ方向）に関するずれを検出し、検出されたずれが補正されるように光スキャナ１０８の走査位置を補正する。
【００６３】
なお、レーザ照射の際の光スキャナ１０８による走査速度とＯＣＴ光学系１００による画像取得時の走査速度を変更する構成としてもよい。例えば、レーザ照射時の走査速度をＯＣＴ光学系１００による画像取得時の走査速度よりも遅くする。
【００６４】
以上のような構成により、ＯＣＴによって取得された断層像の層解析結果を利用した治療用レーザの照射が可能となる。これにより、眼底正面像の観察では視認が困難な情報を踏まえたレーザ治療が可能となり、良好な手術結果が得られる。
【００６５】
例えば、上記のように、視細胞の状態に関する解析結果が利用されることによって、レーザ照射による視細胞の死滅を減らすことができる。これにより、術後の視機能回復に寄与する。
【００６６】
また、光凝固の状態を確認するためにレーザの試し射ちを行う場合、前述のように視細胞が機能していない領域を事前に判別できれば、視機能が機能していない領域を照射することにより、試し射ちを効果的に行うことができる。
【００６７】
なお、上記説明においては、ＩＳ／ＯＳを検出して視機能に関する解析を行ったが、これに限定されない。例えば、制御部７０は、神経節細胞層、視神経繊維層を画像処理により検出し、層厚が正常か否かを判定する。そして、制御部７０は、各位置での判定結果に基づいて視機能に関する解析マップを取得する。
【００６８】
また、制御部７０は、眼底を刺激する前後の断層画像の変化情報を計測することにより、視機能に関する解析を行うようにしてもよい。この場合、装置には、眼底を刺激する光を発する刺激用光源（例えば、可視光源）が設けられる。
【００６９】
例えば、制御部７０は、刺激用光源を制御し、刺激前の断層画像と刺激後の断層画像を取得する。そして、刺激前の断層画像と刺激後の断層画像との輝度変化を求める。制御部７０は、輝度の変化量を用いて視機能が正常か否かを判定する。なお、制御部７０は、刺激前から，刺激終了後してからの所定時間までの断層画像を随時取得し、取得された断層画像に基づいて視機能に関する判定を行うようにしてもよい。
【００７０】
なお、上記説明において、制御部７０は、観察光学系２００によって随時取得される動画の眼底正面像と解析マップを重畳させるようにしてもよい。このような動画像は、術者が動画像を見ながらレーザ照射領域を決め、レーザを眼底に照射する場合に有効である。
【００７１】
ここで、制御部７０は、解析マップと関連付けされた眼底像を基準画像として設定し、随時取得される眼底像との相対位置を検出する。そして、制御部７０は、その検出結果に基づいて、眼の移動があっても眼底部位と解析マップとの対応関係が一致するように、解析マップの表示位置を補正する。
【００７２】
例えば、制御部７０は、画像処理により、検出された眼の位置ずれ量に基づいて解析マップを移動させ、位置ずれ量分表示位置を補正することにより、正面像の観察中に眼が動いても、眼底正面像上に一定の解析マップを観察できる。
【００７３】
また、照射禁止領域及び／又はレーザ照射領域を示すグラフィックを正面像（動画像）に重畳させる場合、制御部７０は、前述の相対位置の検出結果に基づいて、眼の移動があっても眼底部位とグラフィックとの対応関係が一致するように、グラフィックの表示位置を補正するようにしてもよい。もちろん、前述の解析マップとグラフィックの両方を正面像に重畳させる場合においても、表示位置の補正は可能である。
【００７４】
なお、上記トラッキングにおいて、２つの画像間の位置ずれを検出する手法としては、種々の画像処理手法（各種相関関数を用いる方法、フーリエ変換を利用する方法、特徴点のマッチングに基づく方法）を用いることが可能である。
【００７５】
例えば、基準画像又は観察画像（現在の眼底画像）を１画素ずつ位置ずれさせ、基準画像と対象画像を比較し、両データが最も一致したとき（相関が最も高くなるとき）の両データ間の位置ずれ方向及び位置ずれ量を検出する手法が考えられる。また、所定の基準画像及び対象画像から共通する特徴点を抽出し、抽出された特徴点の位置ずれ方向及び位置ずれ量を検出する手法が考えられる。
【００７６】
なお、テンプレートマッチングにおける評価関数は、類似度を示すＳＳＤ（Sum of Squared Difference）や相違度を示すＳＡＤ（Sum of Absolute Difference）などを評価関数として用いてもよい。
【００７７】
なお、上記構成においては、ＯＣＴの光学系とレーザ照射光学系について、光学系の一部（例えば、光スキャナ）を共用する構成としたが、これに限定されない。例えば、ＯＣＴ光学系のための第１光スキャナが設けられ、第１光スキャナによって測定光が走査される。レーザ照射光学系のための第２光スキャナが設けられ、第１光スキャナとは異なる第２光スキャナによって治療用レーザ光が走査される。
【００７８】
また、ＯＣＴ装置とレーザ光凝固装置は、異なる筐体にそれぞれ配置された構成であってもよい。例えば、ＯＣＴ装置によって取得された断層画像を用いてレーザ照射領域が予め設定され、設定されたレーザ照射情報がレーザ光凝固装置に入力される。そして、レーザ光凝固装置は、入力された照射情報に基づいてレーザ照射を実行する。なお、レーザ照射情報は、例えば、ＬＡＮ等の通信回線を通じて光凝固装置に入力させる。このようにすれば、単体のＯＣＴ装置での解析結果を利用できる。もちろん、レーザ光凝固装置が断層画像を受け取り、受け取った断層画像を解析することによりレーザ照射位置を設定するようにしてもよい。また、レーザ光凝固装置が解析結果を受け取り、受け取った解析結果と眼底正面像を重畳させることにより照射位置を設定するようにしてもよい。
【００７９】
なお、光凝固装置に設けられた眼底観察系によって取得される眼底正面像と、解析マップ（又は解析マップに関連付けされ眼底正面像）は、撮影倍率、縦横比などが異なる場合がある。この場合、制御部７０は、眼底観察系によって取得される眼底正面像に合わせて、解析マップ（又は解析マップに関連付けされた眼底正面像）の撮影倍率、縦横比を画像処理により補正するのが好ましい。
【００８０】
また、レーザ光凝固装置に配置される観察光学系２００としては、術者によって直視が可能なスリットランプが配置されてもよい。また、接眼レンズを覗く術者のために視野内表示部を設けるようにしてもよい。この場合、スリットランプの接眼レンズと患者眼との間にビームコンバイナが設けられる。そして、視野内表示部で表示された表示画像は、ビームコンバイナで反射され、接眼レンズに向かう。これにより、術者は、スリットランプの観察画像と表示画像を視認できる。
【００８１】
この場合、制御部７０は、前述のように取得された解析結果を視野内表示部に表示し、眼底観察像と解析結果とを重畳して表示してもよい。このようにすれば、検者は、スリットランプで眼底像を見ながら、ＯＣＴの解析結果を参考にレーザ照射領域を決めることができる。
【００８２】
なお、上記説明においては、ＯＣＴデバイスによって眼底の断層像を取得し、取得された断層像に対する解析結果に基づいて眼底にレーザを照射する構成を例示したが、これに限定されない。ＯＣＴデバイスによって眼の断層像を取得し、取得された断層像に対する解析結果に基づいて眼の組織上にレーザを照射する構成であればよい。例えば、ＯＣＴデバイスによって前眼部の断層像を取得し、取得された断層像に対する解析結果に基づいて前眼部にレーザを照射する構成であってもよい。
【００８３】
なお、上記説明においては、解析結果がＯＣＴデバイスによる組み合わせであったが、これに限定されなく、他機種の解析結果を用いてもよい。例えば、視野計の結果を用いること等が考えられる。
【図面の簡単な説明】
【００８４】
【図１】本実施形態に係る眼科撮影装置の構成について説明する概略構成図である。
【図２】正面観察光学系によって得られる正面画像とＯＣＴ光学系によって得られる断層画像の例である。
【図３】ＩＳ／ＯＳが残存している状態の輝度分布と、ＩＳ／ＯＳが消失している状態の輝度分布を示す例である。
【図４】断層画像の解析結果を示す図である。
【図５】解析マップ及び照射禁止領域を眼底正面像上に表示した場合とレーザ照射領域を設定した場合の表示画面を示す図である。
【符号の説明】
【００８５】
７０  制御部
７２  メモリ
７５  モニタ
７６  操作部
１００  光コヒーレンストモグラフィ（ＯＣＴ光学系）
１０８  光スキャナ
２００  正面観察光学系
３００  固視標投影ユニット
４００  光凝固レーザ装置
【図１】
2012135550.tif 000003
【図２】
2012135550.tif 000004
【図３】
2012135550.tif 000005
【図４】
2012135550.tif 000006
【図５】
2012135550.tif 000007